(57)【要約】      （修正有）【課題】複数の試験対象サーバに対するテストを自動実行する。【解決手段】管理ＰＣ１０１は、試験対象サーバ１０２のシステム構成情報を格納したシステム構成情報データベース１１２と、テストスクリプト情報を格納したテストスクリプトデータベース１１３と、試験対象サーバのテスト実行状態を格納する制御テーブル１１４を有し、テスト中の試験対象サーバのテストスクリプトの実行状態を取得して前記制御テーブルを更新し、テストを実行する試験対象サーバを選定し、選定した試験対象サーバのテストを実行する実行対象テストスクリプトを選択し、前記ネットワークのネットワーク負荷率に基づいて前記選択された実行対象テストスクリプトの実行開始時刻を決定する。【選択図】図１
2015011413.tif 000002
【特許請求の範囲】
【請求項１】
計算機がネットワークに接続された複数の試験対象サーバに対する複数のテストスクリプトを実行する検証自動化方式において、前記計算機は、試験対象サーバのシステム構成情報を格納したシステム構成情報データベースと、テストスクリプト情報を格納したテストスクリプトデータベースと、試験対象サーバのテスト実行状態を格納する制御テーブルを有し、テスト中の試験対象サーバのテストスクリプトの実行状態を取得して前記制御テーブルを更新し、テストを実行する試験対象サーバを選定し、選定した試験対象サーバのテストを実行する実行対象テストスクリプトを選択し、前記ネットワークのネットワーク負荷率に基づいて前記選択された実行対象テストスクリプトの実行開始時刻を決定することを特徴とする検証自動化方式。
【請求項２】
前記テストスクリプトデータベースは各テストスクリプトのネットワーク負荷率を含み、前記計算機は、ネットワークコマンドにより取得した前記ネットワークのネットワーク負荷率と前記テストスクリプトデータベースから取得した実行開始予定の実行対象テストスクリプトのネットワーク負荷率に基づいて前記実行開始予定の実行対象テストスクリプトの実行開始時刻を決定することを特徴とする請求項１記載の検証自動化方式。
【発明の詳細な説明】
【技術分野】
【０００１】
本発明は、複数の試験対象サーバに対するテストの最適化実行及び自動実行が可能となる検証自動化方式に関するものである。
【背景技術】
【０００２】
従来は１つの試験対象サーバに対してテストの自動実行を実施している。ユーザはあらかじめテスト実行対象となる１つの試験サーバを選択し、そのサーバ上で実行する為の単一のテストスクリプトを組み込んだテストを自動実行するように制御する。また、１つの試験対象サーバに対して、複数のテストスクリプトを連続で実行するように組み込んだものを自動実行することも可能である。
【先行技術文献】
【特許文献】
【０００３】
【特許文献１】特開２０１１−３４２７４号公報
【発明の概要】
【発明が解決しようとする課題】
【０００４】
従来は１つの試験対象サーバに対するテストの自動実行はあるが、複数の試験対象サーバに対するテストの自動実行がない。試験対象サーバが複数台ある場合、人手で試験対象サーバ毎に自動実行するテスト実行制御プログラムの設定及び手動実行を行なわなければならないので、多くの工数がかかる。
【課題を解決するための手段】
【０００５】
計算機がネットワークに接続された複数の試験対象サーバに対する複数のテストスクリプトを実行する検証自動化方式において、前記計算機は、試験対象サーバのシステム構成情報を格納したシステム構成情報データベースと、テストスクリプト情報を格納したテストスクリプトデータベースと、試験対象サーバのテスト実行状態を格納する制御テーブルを有し、テスト中の試験対象サーバのテストスクリプトの実行状態を取得して前記制御テーブルを更新し、テストを実行する試験対象サーバを選定し、選定した試験対象サーバのテストを実行する実行対象テストスクリプトを選択し、前記ネットワークのネットワーク負荷率に基づいて前記選択された実行対象テストスクリプトの実行開始時刻を決定する。
【発明の効果】
【０００６】
複数の試験対象サーバから取得したシステム構成情報を基にして、テスト実行制御プログラムで各試験対象サーバに試験環境ネットワークの負荷に応じて選択したテストの自動実行を行なうことで、人手を介することなくテストが行なえるようになる。また、テスト実行制御プログラムは管理ＰＣ及び試験環境ネットワークの負荷を常に監視しながらテスト実行タイミングを図ることで、試験環境ネットワークの負荷をバランスよく配分し、ネットワーク高負荷障害に起因するテストの異常終了を防止することで、原因究明及びテストの再実行にかかる人員工数を低減する効果がある。
【図面の簡単な説明】
【０００７】
【図１】概略フロー
【図２】ハードウェアブロック図
【図３】試験対象サーバのシステム構成情報データベース構造図
【図４】テストスクリプトデータベース構造図
【図５】制御テーブル構造図
【図６】試験実行制御プログラムのフローチャート
【図７】制御テーブル更新部の詳細フローチャート
【図８】試験対象サーバ選定部の詳細フローチャート
【図９】テストスクリプト選択処理部の詳細フローチャート
【図１０】テスト実行タイミング決定部の詳細フローチャート
【図１１】テスト実行処理タイムチャート
【発明を実施するための形態】
【０００８】
以下、本発明による検証自動化方式の実施形態を、図面により説明する。
【０００９】
図１は管理ＰＣ１０１から複数の試験対象サーバ１０２に対してテスト実行制御プログラム１０９を実行してテストを行なう概略フローである。管理ＰＣ１０１はハブ・スイッチ１０３、業務ＬＡＮ１０４及び管理ＬＡＮ１０６を介して、試験対象サーバ１０２の業務ＬＡＮ専用ポート１０５及び管理ＬＡＮ専用ポート１０７に接続する。業務ＬＡＮ１０４は管理ＰＣ１０１から試験対象サーバ１０２に対して、テストスクリプトデータベース１１３から選択されたテストスクリプト１１７の実行を指示したり、試験対象サーバ１０２からのレスポンスを受信したり、試験対象サーバ１０２のシステム構成情報１１６を調べたりする為のネットワークである。管理ＬＡＮ１０６は管理ＰＣ１０１から試験対象サーバ１０２のサーバ管理用コントローラ１０８を介し、試験対象サーバ１０２の起動前の動作設定や電源オンオフなどの制御を行なう為のネットワークである。テスト実行制御プログラム１０９は試験対象サーバ１０２に対して、システム構成情報１１６及び制御テーブル１１４によって選択されたテストスクリプト１１７を送信して全体のテストを制御するプログラムである。テスト実行制御プログラム１０９は業務ＬＡＮ１０４を介して、試験対象サーバ１０２からテスト結果１１９を取得して判定を行なった後に結果ログ１２０に出力する。
【００１０】
管理ＰＣ１０１で実行されるテスト実行制御プログラム１０９は、ＤＨＣＰサーバ１１０からサーバ管理用コントローラ１０８に接続された管理ＬＡＮ専用ポート１０７のＭＡＣアドレスを取得する。ＤＨＣＰサーバ１１０は取得した管理ＬＡＮ専用ポート１０７のＭＡＣアドレスに対して、ＤＨＣＰサーバ１１０の変換テーブル１１１によって管理ＬＡＮ専用ポート１０７のＩＰアドレスを割り当てる。テスト実行制御プログラム１０９は割り当てられた管理ＬＡＮ専用ポート１０７のＩＰアドレスを使用して、試験対象サーバ１０２の管理ＬＡＮ専用ポート１０７を経由してサーバ管理用コントローラ１０８に接続し、試験対象サーバ１０２の電源オンを指示する。試験対象サーバ１０２の電源オン後に起動するＯＳ１１８で、業務ＬＡＮ専用ポート１０５はＤＨＣＰサーバ１１０によりＩＰアドレスが割り当てられる。割り当てられた業務ＬＡＮ専用ポート１０５のＩＰアドレスはＤＨＣＰサーバ１１０の変換テーブル１１１に追加される。テスト実行制御プログラム１０９は、試験対象サーバ１０２の業務ＬＡＮ専用ポート１０５のＩＰアドレスを認識する為に、ＤＨＣＰサーバ１１０の変換テーブル１１１に追加されたＩＰアドレスを取得する。取得した業務ＬＡＮ専用ポート１０５のＩＰアドレスを使用して、テスト実行制御プログラム１０９が試験対象サーバ１０２のＯＳ１１８へ業務ＬＡＮ１０４経由でログインし、試験対象サーバ１０２上でシステム構成情報取得コマンド１１５を実行して、試験対象サーバ１０２のシステム構成情報１１６を収集する。テスト実行制御プログラム１０９は試験対象サーバ１０２上で収集したシステム構成情報１１６をシステム構成情報データベース１１２に格納する。テストスクリプトデータベース１１３はシステム全体及びデバイスなどのいろいろなテストを行なう為のテストスクリプト１１７があらかじめ格納されている。
【００１１】
図２は管理ＰＣ１０１及び試験対象サーバ１０２のシステム構成を示すハードウェアブロック図である。ネットワーク２０１は管理ＰＣ１０１及び複数の試験対象サーバ１０２に繋がって、両者でシステム構成情報やテストスクリプトなどのデータ送受信を行なう。管理ＰＣ１０１はＣＰＵ２０２、システムメモリ２０３、ネットワークカード２０５及びＰＣＩカード２１１を接続したＩ／Ｏハブ２０４を搭載する。また、ＰＣＩカード２１１は、試験対象サーバ１０２のシステム構成情報データベース１１２及びテストスクリプトデータベース１１３を格納したＨＤＤ２１２を接続する。試験対象サーバ１０２はＣＰＵ２０２、システムメモリ２０３、Ｉ／Ｏハブ２０４に接続したネットワークカード２０５、Ｉ／Ｏコントローラ・ハブ２０６、ＳＣＳＩカード２０７及びＲＡＩＤコントローラ２０８を搭載し、Ｉ／Ｏコントローラ・ハブ２０６にサーバ管理用コントローラ１０８を、ＳＣＳＩカード２０７にＳＣＳＩのＨＤＤ２０９を、ＲＡＩＤコントローラ２０８にＲＡＩＤのＨＤＤ２１０を接続する。
【００１２】
図３はシステム構成情報データベース１１２の構造図であり、各々の試験対象サーバ１０２に搭載されているシステム構成情報１１６を格納する。システム構成情報データベース１１２は、テストスクリプト１１７を実行する為の情報として、試験対象サーバ１〜ｎの搭載デバイス群３０１及び容量、個数などの搭載デバイス情報３０２が含まれている。
【００１３】
図４はテストスクリプト１１７を格納するテストスクリプトデータベース１１３の構造図である。テストスクリプトデータベース１１３は、各システム（ＣＰＵ、システムメモリなど）及び各デバイス（ＨＤＤ、ＲＡＩＤ、ネットワークカードなど）を対象とするテストスクリプト１１７を格納する。テストスクリプト本体１１７の他に、テストスクリプト１１７の対象デバイス４０１、テストスクリプト１１７を実行状態毎に分けたテストスクリプト実行状態４０２、ネットワーク負荷率及び実行時間を登録した状態別実行情報４０３が含まれている。状態別実行情報４０３はあらかじめテストスクリプト１１７の実行に要するネットワーク負荷率及び実行時間を調査して、実行状態別に登録したものである。例えば、ある状態でテストスクリプト１１７を実行する際に、試験環境ネットワークのネットワーク負荷率がどのくらいに上がるかを事前に計算する目的で、テストスクリプトデータベース１１３からネットワーク負荷率を取得することができる。また、テストスクリプト１１７の実行にかかる時間を事前に計算する目的で、テストスクリプトデータベース１１３の実行時間を取得することもできる。
【００１４】
図５は試験対象サーバ１０２のテスト実行状態を格納する制御テーブル１１４である。制御テーブル１１４は試験対象サーバ１０２、テスト実行時の対象デバイス４０１、実行対象テストスクリプト５０１、実行対象テストスクリプト５０１のテスト実行開始時刻５０２、実行対象テストスクリプト５０１の各実行状態５０３、実行対象テストスクリプト５０１の実行状態情報５０４がある。制御テーブル１１４は試験対象サーバ１０２の対象デバイス４０１に対して、実行対象テストスクリプト５０１の実行状態情報５０４（ネットワーク負荷率及び実行時間）を管理する。テスト実行制御プログラム１０９は、ネットワークが高負荷状態にならないように制御テーブル１１４を使用して、実行対象テストスクリプト５０１の実行スケジューリングを行ないながらテスト実行タイミングを決定する。また、実行中の実行対象テストスクリプト５０１が終了する予定時刻を把握する為に、テスト実行制御プログラム１０９は制御テーブル１１４からテスト実行開始時刻５０２及び実行中の実行状態情報５０４の実行時間を取り出して、終了予定時刻を算出する。
【００１５】
図６はテスト実行制御プログラム１０９のフローチャートである。テストの前準備としてテスト実行対象となる試験対象サーバ１０２を識別する為に、ステップ６０１で試験対象サーバ１０２のシステム構成情報１１６をシステム構成情報データベース１１２に格納する。制御テーブル更新部６０２は現在実行中のテストスクリプト１１７の実行状態を取得して制御テーブル１１４を更新する処理部である。ステップ６０３は制御テーブル更新部６０２で更新された制御テーブル１１４を参照して、試験対象サーバ１０２の全デバイスに対して実行可能な実行対象テストスクリプト５０１があるかをチェックする。分岐６０４はステップ６０３のチェック結果を判定する。実行対象テストスクリプト５０１が存在する場合、試験対象サーバ選定部６０５へ、実行対象テストスクリプト５０１が１つもない場合、テスト実行制御プログラム１０９を終了する。試験対象サーバ選定部６０５はテスト実行制御プログラム１０９で制御テーブル１１４を参照して、空いている試験対象サーバ１０２を選定する処理部である。テストスクリプト選択部６０６は選定した試験対象サーバ１０２のシステム構成情報１１６をシステム構成情報データベース１１２から取得して、搭載デバイス群３０１に一致したテストスクリプト１１７をテストスクリプトデータベース１１３から選択する処理部である。テスト実行タイミング決定部６０７はネットワーク負荷の状態を見極める為に試験対象サーバ１０２の全体にかかるネットワーク負荷率を取得して、それを基にしてテストの実行を開始するか否かを決定する処理部である。ステップ６０８はテスト実行タイミング決定部６０７で決定したテスト実行タイミングからテスト実行開始時刻（ａ）を決定する。ステップ６０９で現在時刻（ｂ）を取得して、分岐６１０でテスト実行開始時刻（ａ）との比較を行なう。テスト実行タイミングになった場合には、ステップ６１１でテスト実行制御プログラム１０９が試験対象サーバ１０２にテストスクリプト１１７を実行するように指示する。逆にテスト実行タイミングになっていない場合は、ステップ６１２で一時的に待機した後、ステップ６０９へ戻る。ステップ６１１でテストスクリプト１１７が終了したら、ステップ６１３でテスト実行制御プログラム１０９が試験対象サーバ１０２から出力されたテスト結果１１９を取得して正常終了か異常終了かの判定を行ない、結果ログ１２０に出力する。
【００１６】
図７は、制御テーブル更新部６０２を詳細にしたフローチャートである。ループ端記号７０１〜７１０は試験対象サーバ１０２全体に対して、制御テーブル１１４を更新する為のループを設けて以下の処理を行なう。分岐７０２では、制御テーブル１１４を参照して、ｉ番目の試験対象サーバ１０２がテスト実行中であるかのチェックを行なう。分岐７０２でｉ番目の試験対象サーバ１０２がテスト実行中であれば、ステップ７０３で現在時刻（ａ）を取得する。分岐７０２でｉ番目の試験対象サーバでテストが実行されていなければ、ループ端記号７１０へ分岐し、次の試験対象サーバ１０２を検索する。ステップ７０４で制御テーブル１１４からテスト実行中の試験対象サーバ１０２のテスト実行開始時刻５０２（ｂ）を取得する。ステップ７０５で現在時刻（ａ）及びテスト実行開始時刻（ｂ）により、実行対象テストスクリプト５０１の経過時間（ｃ）を求める。ステップ７０６でステップ７０５の経過時間（ｃ）を基に、テストスクリプトデータベース１１３のテストスクリプト実行状態４０２及び状態別実行情報４０３を参照して、実行対象テストスクリプト５０１の実行状態を取得する。分岐７０７で実行対象テストスクリプト５０１が終了しているかを判定し、テストスクリプトが終了している場合、ステップ７０８で実行対象テストスクリプト５０１を制御テーブル１１４から削除する。分岐７０７で実行対象テストスクリプト５０１が終了していない場合、ステップ７０９で現在時刻での実行対象テストスクリプト５０１の実行状態を制御テーブル１１４に登録し、制御テーブル１１４の更新処理を行なう。
【００１７】
図８は、試験対象サーバ選定部６０５を詳細にしたフローチャートである。
ステップ８０１でチェックカウントｉを設け、１で初期化する。ステップ８０２で制御テーブル１１４よりｉ番目の試験対象サーバ１０２の実行状態情報５０４を取り出して、分岐８０３でその情報を参照し、ｉ番目の試験対象サーバ１０２が空いているかをチェックする。分岐８０３でｉ番目の試験対象サーバが空いていれば、ステップ８０４でｉ番目の試験対象サーバ１０２のシステム構成情報１１６をシステム構成情報データベース１１２から取り出す。分岐８０３でｉ番目の試験対象サーバ１０２が空いていない（実行中）であれば、ステップ８０５でｉのカウントアップを行ない、次の試験対象サーバ１０２を取り出す為のステップ８０２へ戻る。分岐８０６で全サーバの空きチェックで終了した場合、ステップ８０７で試験対象サーバ１０２が空くのを待つ為に一時待機してからステップ８０１へ戻る。分岐８０６で全サーバの空きチェックを終了していない場合、次の試験対象サーバ１０２を取り出す為にステップ８０２へ戻る。
【００１８】
図９は、テストスクリプト選択部６０６を詳細にしたフローチャートである。ステップ９０１で試験対象サーバ１０２のシステム構成情報データベース１１２から搭載デバイス群３０１（Ａ）を取得する。ステップ９０２でチェックカウントｉを設け、１で初期化する。ステップ９０３でテストスクリプトデータベース１１３からｉ番目のテストスクリプト１１７を取り出して、ステップ９０４でその対象デバイス４０１（Ｂ）を取得する。分岐９０５で搭載デバイス群３０１（Ａ）に対象デバイス４０１（Ｂ）が一致するかをチェックする。分岐９０５のチェックで一致する場合、ステップ９０６でｉ番目のテストスクリプト１１７をテストスクリプトリストに追加する。分岐９０５で一致しないデバイスであれば選択処理をスキップする。ステップ９０７でｉのカウントアップを行ない、分岐９０８で、テストスクリプトデータベース１１３から取り出すテストスクリプト１１７が最後であるかを判定する。もし最後のテストスクリプト１１７であれば、選択処理を終了する。最後でなければステップ９０３へ戻る。
【００１９】
図１０は、テスト実行タイミング決定部６０７を詳細にしたフローチャートである。ステップ１００１で管理ＰＣ１０１がＯＳ標準で提供されているネットワーク負荷コマンドを使用して、試験対象サーバ１０２の全体にかかる試験環境ネットワークのネットワーク負荷率（α）を取得する。ステップ１００２で実行開始予定の実行対象テストスクリプト５０１にかかるネットワーク負荷率（β）をテストスクリプトデータベース１１３から取得する。分岐１００３で試験環境ネットワークのネットワーク負荷率（α）と実行対象テストスクリプト５０１のネットワーク負荷率（β）の合計が９０％未満であれば、ステップ１００４で実行対象テストスクリプト５０１のテスト実行開始時刻を即時に設定する。分岐１００３で試験環境ネットワークのネットワーク負荷率（α）と実行対象テストスクリプト５０１のネットワーク負荷率（β）の合計が９０％以上の場合、ステップ１００５へ分岐する。ステップ１００５で、制御テーブル１１４の実行対象テストスクリプト５０１のテスト実行開始時刻５０２と各実行状態５０３の実行状態情報５０４及びテストスクリプトデータベース１１３の状態別実行情報４０３を参照し、テスト実行状態毎に変化する試験環境ネットワークのネットワーク負荷率（γ）と実行対象テストスクリプト５０１のネットワーク負荷率（β）が９０％以下になるまでに要する時間を計算する。ステップ１００６で、ステップ１００５で計算した時間と現在時刻を加算したものをテスト実行開始時刻として設定する。
【００２０】
図１１は、テスト実行タイミング決定方法を示すタイムチャートである。テストスクリプト割当済みサーバ群１１０１は、現在時刻１１０５時点でテストスクリプトが割当てられたサーバ群とテストスクリプト実行状態毎のネットワーク使用率１１０２を表している。ここへ、テスト実行タイミング決定部６０７が、試験対象サーバ４でテストスクリプト４を実行する時刻である現在時刻から６０秒後１１０７を決定するまでの動作を説明する。
【００２１】
テスト実行タイミング決定部６０７は、現在時刻１１０５でのネットワーク使用率を、試験対象サーバ１及び試験対象サーバ２が初期設定中である為０％、試験対象サーバ３はブート処理中の為８０％として合計し、テスト実行状態毎に変化する試験環境ネットワークのネットワーク負荷率（γ）を８０％と算出する。テスト実行タイミング決定部６０７は、ネットワーク負荷率（γ）に試験対象サーバ４の実行対象テストスクリプト４のネットワーク負荷率（β）の７０％を加え、予想されるネットワーク負荷率の合計が１５０％となりネットワーク負荷率が９０％を超える為、次に、試験対象サーバ１のテストスクリプト実行状態が変化する現在時刻１１０５から３０秒後１１０６の試験環境ネットワークのネットワーク負荷率（γ）の算出に移る。
【００２２】
テスト実行タイミング決定部６０７は、現在時刻から３０秒後１１０６の試験環境ネットワークのネットワーク負荷率（γ）を、試験対象サーバ１のテスト実行中のネットワーク使用率の１０％、試験対象サーバ３のブート処理中のネットワーク使用率の８０％を合計し、テスト実行状態毎に変化する試験環境ネットワークのネットワーク負荷率（γ）を９０％と算出する。テスト実行タイミング決定部６０７は、ネットワーク負荷率（γ）に試験対象サーバ４の実行対象テストスクリプト４のネットワーク負荷率（β）の７０％を加え、予想されるネットワーク負荷率の合計が１６０％となりネットワーク負荷率が９０％を超える為、試験対象サーバ３のテストスクリプト実行状態が変化する現在時刻１１０５から６０秒後１１０７の試験環境ネットワークのネットワーク負荷率（γ）の算出に移る。
【００２３】
テスト実行タイミング決定部６０７は、現在時刻から６０秒後１１０７の試験環境ネットワークのネットワーク負荷率（γ）を、試験対象サーバ１のテスト実行中のネットワーク使用率１０％のみとしテスト実行状態毎に変化する試験環境ネットワークのネットワーク負荷率（γ）を１０％と算出する。テスト実行タイミング決定部６０７は、ネットワーク負荷率（γ）に試験対象サーバ４で実行対象テストスクリプト４のネットワーク負荷率（β）の７０％を加え、予想されるネットワーク負荷率の合計が８０％となりネットワーク負荷率が９０％以下となる為、試験実行時刻を現在時刻から６０秒後１１０７に決定する。
【符号の説明】
【００２４】
１０１  管理ＰＣ
１０２  試験対象サーバ
１０３  ハブ・スイッチ
１０４  業務ＬＡＮ
１０５  業務ＬＡＮ専用ポート
１０６  管理ＬＡＮ
１０７  管理ＬＡＮ専用ポート
１０８  サーバ管理用コントローラ
１０９  テスト実行制御プログラム
１１０  ＤＨＣＰサーバ
１１１  ＤＨＣＰサーバ１１０の変換テーブル
１１２  システム構成情報データベース
１１３  データスクリプトデータベース
１１４  制御テーブル
１１５  システム構成情報取得コマンド
１１６  システム構成情報
１１７  テストスクリプト
１１８  試験対象サーバ１０２のＯＳ
１１９  テスト結果
１２０  結果ログ
２０１  ネットワーク
２０２  ＣＰＵ
２０３  システムメモリ
２０４  Ｉ／Ｏハブ
２０５  ネットワークカード
２０６  Ｉ／Ｏコントローラ・ハブ
２０７  ＳＣＳＩカード
２０８  ＲＡＩＤコントローラ
２０９  ＳＣＳＩ ＨＤＤ
２１０  ＲＡＩＤ ＨＤＤ
２１１  ＰＣＩカード
３０１  搭載デバイス群
３０２  搭載デバイス情報
４０１  対象デバイス
４０２  テストスクリプト実行状態
４０３  状態別実行情報
５０１  実行対象テストスクリプト
５０２  実行対象テストスクリプト５０１のテスト実行開始時刻
５０３  実行対象テストスクリプト５０１の各実行状態
５０４  実行対象テストスクリプト５０１の実行状態情報
１１０１  テストスクリプト割当済みサーバ群
１１０２  テストスクリプト割当済みサーバのネットワーク使用率
１１０３  試験対象サーバのテストスクリプト
１１０４  テストスクリプト割当外サーバのネットワーク使用率
１１０５  現在時刻
１１０６  現在時刻から３０秒後の時刻
１１０７  現在時刻から６０秒後の時刻
【図１】
2015011413.tif 000003
【図２】
2015011413.tif 000004
【図３】
2015011413.tif 000005
【図４】
2015011413.tif 000006
【図５】
2015011413.tif 000007
【図６】
2015011413.tif 000008
【図７】
2015011413.tif 000009
【図８】
2015011413.tif 000010
【図９】
2015011413.tif 000011
【図１０】
2015011413.tif 000012
【図１１】
2015011413.tif 000013